(57)【要約】本開示のシステムは、種々の環境において作動してもよいが、採掘環境で有用であってもよい。本システムは、トラックの位置、掘削機の掘削位置等、及びどのような事象及び危険が存在するかを判定するなど、位置に関する事実上すべての側面を制御してもよい。また、同位置における装置の健全性も監視してもよく、装置に問題がある場合、担当者に通知してもよい。
2015535992.tif 000002
【特許請求の範囲】
【請求項１】
採掘作業用ユーザインタフェースを作成するための演算装置の使用方法であって、
前記演算装置がネットワークに接続されるステップと、
前記ネットワークを介して、少なくともマッピングデータベースを有するデータソースと車両配置システムとから信号を受信するステップと、
前記演算装置のプロセッサにおいて、前記採掘作業に関連する複数の採掘ビューを展開するステップと、
前記複数の採掘ビューの１つに関連した採掘タスクのワークフローを実行するステップと、
前記ワークフローの実行に応答し、前記ユーザインタフェースの使用ケースに関連して、前記演算装置のメモリに設定を保存するステップと、
第１採掘用デスクトップの表示を行うステップとを備え、前記表示を行うステップは、
前記採掘作業に関連付けられてリアルタイムのイベントに対応する、前記複数の採掘ビューのうちの１つ又は複数の採掘ビューを表示するステップを含む方法。
【請求項２】
ワークステーションにおいて、複数の採掘用デスクトップを作成するステップをさらに備え、前記複数の採掘用デスクトップの各々を作成するステップには、
複数のレイアウト構成からデスクトップビューレイアウトを選択するステップと、
前記複数の採掘ビューを表示するステップと、
前記複数の採掘ビューのうちの少なくとも１つを、選択された前記デスクトップビューレイアウトに投入するステップとが含まれる請求項１に記載の方法。
【請求項３】
前記複数の採掘ビューには、走行進捗モニタビュー、事象ビュー、危険ビュー、キーパフォーマンスインジケータビュー、及び健全性モニタビューのうちの少なくとも２つが含まれる請求項２に記載の方法。
【請求項４】
表示された前記１つ又は複数の採掘ビューに対応したセーフティチェックリストを表示するステップをさらに備える請求項１に記載の方法。
【請求項５】
前記演算装置が低帯域幅位置に在るか否かを判定し、低帯域幅環境に合わせて前記第１採掘用デスクトップの要素を調整するステップをさらに備える請求項１に記載の方法。
【請求項６】
前記複数の採掘ビューのうちの少なくとも１つには、採掘層及び採掘装置を含む前記採掘作業のビューが含まれる請求項１に記載の方法。
【請求項７】
前記複数の採掘ビューのうちの少なくとも１つには、機械待ち時間、アクティブな機械、アクティブでない機械、及び機械警告からなる群より選ばれる少なくとも１つの統計値の即時統計値が含まれる請求項１に記載の方法。
【請求項８】
前記第１採掘用デスクトップは、監督者用デスクトップ、運転者用デスクトップ、及び遠隔管理者用デスクトップのうちの１つである請求項１に記載の方法。
【請求項９】
前記監督者用デスクトップは、前記採掘作業を担う装置、全体的な採掘の進捗、前記採掘作業における生産の問題、前記採掘作業における運転者の生産性のうちの１つ又は複数を表示し、且つ、前記採掘作業における装置を空間的に表示する請求項８に記載の方法。
【請求項１０】
マルチメディアデータを受信及び表示してテキストのみの送信を行う携帯用装置上に、前記監督者用デスクトップを表示するステップをさらに備える請求項９に記載の方法。
【請求項１１】
前記監督者用デスクトップは、前記採掘作業の生産タイムラインと、前記採掘作業において利用可能なすべてのデスクトップとのうちの１つ又は複数を表示する請求項１０に記載の方法。
【請求項１２】
前記運転者用デスクトップは、前記運転者の関連範囲における危険、前記運転者の前記関連範囲における事象、運転者に対する前記採掘作業のゾーン、及び前記採掘作業における前記運転者の作業領域のうちの１つ又は複数を表示する請求項８に記載の方法。
【請求項１３】
前記運転者用デスクトップは、特定の運転者向けに調整される請求項１２に記載の方法。
【請求項１４】
前記採掘タスクは、機械タスク、オペレータタスク、ゾーンタスク、事象タスク、危険タスク、ユーザタスク、ジョブタスク、デスクトップタスク、マップタスク、自動化タスク、ダッシュボードタスク、及び健全性タスクからなる群より選択される少なくとも１つである請求項１に記載の方法。
【請求項１５】
前記ゾーンタスクはさらに、回避ゾーン、侵入通知ゾーン、又は退出通知ゾーンからなるゾーン群のうちの少なくとも１つを含むゾーンを管理するステップを含む請求項１４に記載の方法。
【請求項１６】
前記ゾーンは、特定の機械クラスに適用される請求項１５に記載の方法。
【請求項１７】
前記マップタスクはさらに、現場マップの閲覧、運転停止機械の再配置、層のインポート、インポートされた層の管理、保存されたビューの管理からなるマップ群のうちの少なくとも１つを含み、前記運転停止機械の再配置には、前記運転停止機械を選択し、前記運転停止機械をマップ上に配置するステップを備える請求項１４に記載の方法。
【請求項１８】
採掘場における採掘タスクを管理するシステムであって、
複数の採掘車両の各々において作動するモバイルユニットと、
ハードウェアプロセッサ、物理メモリ、及びネットワークインタフェースを有する少なくとも１つのコンピュータサーバと、
前記モバイルユニットを前記少なくとも１つのコンピュータサーバに接続するネットワークとを備え、
前記少なくとも１つのコンピュータサーバの前記物理メモリは、前記ハードウェアプロセッサ上で実行されると前記少なくとも１つのコンピュータサーバに以下の動作を実施させるソフトウェアコードを含む複数のモジュールを含み、前記以下の動作とは、
前記モバイルユニットから前記ネットワーク及び前記ネットワークインタフェースを介して、前記採掘車両の位置データ及びステータスデータを含む情報を受信し、
前記少なくとも１つのコンピュータサーバのディスプレイ上に示され、各々が採掘用デスクトップを使用して前記ネットワークを介して受信した前記情報の少なくとも一部の表現を規定する複数のワークフロープロセスから選択されたワークフロープロセスを表示し、
前記採掘場及び前記採掘車両のうちの１つのステータスを示す前記採掘用デスクトップを表示することであるシステム。
【請求項１９】
前記物理メモリはさらに、前記ハードウェアプロセッサ上で実行されると前記少なくとも１つのコンピュータサーバに以下の動作を実施させるコードモジュールを含み、以下の動作とは、
前記ワークフロープロセスを介して設定されるトリガに応答し、前記モバイルユニットから受信した前記情報に基づいてアラーム条件を設定することである請求項１８に記載のシステム。
【請求項２０】
採掘場における採掘作業と関連の採掘データを表示する方法であって、
コンピュータのプロセッサにより、前記採掘場のマップ上に、危険ゾーン、速度ゾーン、回避ゾーン、侵入通知ゾーン、及び退出通知ゾーンのうちの１つ又は複数に対応する採掘ゾーンを特定する第１のワークフロープロセスを実行するステップと、
前記コンピュータの前記プロセッサにより、無線ネットワークを介して採掘車両から受信された前記採掘車両の位置データ及びステータスデータを組み込んだ採掘用デスクトップを規定する第２ワークフロープロセスを実行するステップと、
コンピュータのディスプレイにより、少なくとも前記採掘車両の位置及び前記採掘車両のステータスを示す採掘用デスクトップを表示するステップとを備える方法。
【発明の詳細な説明】
【技術分野】
【０００１】
本開示は、採掘車両、機械、及びオペレータの監視及び制御全般に関し、特に車両情報、タスク及び性能情報、及び特定の端末能力に適合された無線システムの使用に関する。
【０００２】
関連出願への相互参照
本出願は、２０１２年１０月５日出願の米国暫定特許出願第６１／７１０，３３１号及び２０１２年９月２４日出願の米国暫定特許出願第６１／７０４，８８６号の利益を主張し、その開示内容全体を参照としてここに組み込む。
【背景技術】
【０００３】
採掘は、複雑な作業である。潜在的に危険の伴う困難なタスクをこなすため、大型の機械を必要とする。機械の操縦は困難となり得る上、環境は危険に溢れることもあり、機械は相当なストレス下に置かれる。
【０００４】
同時に、採掘作業の効率がより重要となってきている。燃料コストは相当のものであり、所望の物質の無い場所で採掘することは、以前に採掘を試みて失敗した場所で採掘することと同様に無駄であり、適当な場所で採掘を行うことが望まれる。物質が存在することが分かっている場所で採掘を行うことで、採掘の効率を向上してもよい。
【０００５】
さらに、遠く離れた採掘地域で機械が故障してしまうと困難である。機械は非常に大きいため、問題の診断を行う場所まで機械を牽引することは難しい。さらに、機械が継続的に採掘を行う必要がある場合、メンテナンス自体も困難である。
【発明の概要】
【０００６】
本開示のシステムは、種々の環境において作動してもよく、採掘環境で有用であってもよい。本システムは、トラックの位置、掘削機の掘削位置、及びどのような事象及び危険が存在するかを判定するなど、位置に関する事実上すべての側面を制御してもよい。また、同位置における装置の健全性も監視してもよく、装置に問題がある場合、担当者に通知してもよい。
【０００７】
以前には、個別のシステムが種々のタスクを実施した。システムは、システム同士で通信することに長けておらず、よくてもシステム間の一貫性が取れていなかった。また特に低帯域幅の条件下において、遠隔での可視化は困難であった。本開示のシステムにより、機械が低帯域幅の位置にあっても、リアルタイムでの可視化を可能にしてもよい。
【０００８】
本開示の一様態によると、採掘作業用ユーザインタフェースを作成するための演算装置の使用方法は、前記演算装置をネットワークに接続するステップと、前記ネットワークを介して、少なくともマッピングデータベースを有するデータソースと車両配置システムとから信号を受信するステップと、前記演算装置のプロセッサにおいて、前記採掘作業に関連する複数の採掘ビューを展開するステップと、前記複数の採掘ビューの１つに関連した採掘タスクのワークフローを実行するステップと、前記ワークフローの実行に応答し、前記ユーザインタフェースの使用ケースに関連して、前記演算装置のメモリに設定を保存するステップと、第１採掘用デスクトップの表示を行うステップとを備える。前記表示を行うステップは、前記採掘作業に関連付けられてリアルタイムのイベントに対応する、前記複数の採掘ビューのうちの１つ又は複数の採掘ビューを表示するステップを含んでもよい。
【０００９】
本開示の他の一様態によると、採掘場における採掘タスクを管理するシステムは、複数の採掘車両の各々において作動するモバイルユニットと、ハードウェアプロセッサ、物理メモリ、及びネットワークインタフェースを有する少なくとも１つのコンピュータサーバと、前記モバイルユニットを前記少なくとも１つのコンピュータサーバに接続するネットワークとを備え、前記少なくとも１つのコンピュータサーバの前記物理メモリは、前記ハードウェアプロセッサ上で実行されると前記少なくとも１つのコンピュータサーバに  動作を実施させるソフトウェアコードを含む複数のモジュールを含む。前記ハードウェアプロセッサは、前記モバイルユニットから前記ネットワーク及び前記ネットワークインタフェースを介して、前記採掘車両の位置データ及びステータスデータを含む情報を受信し、前記少なくとも１つのコンピュータサーバのディスプレイ上に示され、各々が採掘用デスクトップを使用して前記ネットワークを介して受信した前記情報の少なくとも一部の表現を規定する複数のワークフロープロセスから選択されたワークフロープロセスを表示し、前記採掘場及び前記採掘車両のうちの１つのステータスを示す前記採掘用デスクトップを表示してもよい。
【００１０】
本開示のさらに他の一様態によると、採掘場における採掘作業と関連の採掘データを表示する方法は、コンピュータのプロセッサにより、前記採掘場のマップ上に、危険ゾーン、速度ゾーン、回避ゾーン、侵入通知ゾーン、及び退出通知ゾーンのうちの１つ又は複数に対応する採掘ゾーンを特定する第１のワークフロープロセスを実行するステップと、前記コンピュータの前記プロセッサにより、無線ネットワークを介して採掘車両から受信された前記採掘車両の位置データ及びステータスデータを組み込んだ採掘用デスクトップを規定する第２ワークフロープロセスを実行するステップと、コンピュータのディスプレイにより、少なくとも前記採掘車両の位置及び前記採掘車両のステータスを示す採掘用デスクトップを表示するステップとを備える。
【図面の簡単な説明】
【００１１】
【図１】携帯用演算装置を示す図である。
【図２】演算装置を示す図である。
【図３】演算装置を使用して採掘用ユーザインタフェースを作成する方法を示すフローチャートである。
【図４】管理用デスクトップのディスプレイを示す図である。
【図５】新たなデスクトップを作成するディスプレイを示す図である。
【図６】デスクトップの新たなビューを選択するディスプレイを示す図である。
【図７】新たな機械特性を追加するディスプレイを示す図である。
【図８】新たな機械に通信インタフェース特性を追加するディスプレイを示す図である。
【図９】機械クラスを管理するディスプレイを示す図である。
【図１０】オペレータタスクオプションのディスプレイを示す図である。
【図１１】タスクメニューのゾーンを選択するディスプレイを示す図である。
【図１２】ゾーンの管理等、現場ワークフローを編集するディスプレイを示す図である。
【図１３】事象タスクメニューと関連オプションのディスプレイを示す図である。
【図１４】事象ビューデスクトップのディスプレイを示す図である。
【図１５】新たな事象レポートワークフローのディスプレイを示す図である。
【図１６】新たな事象レポートワークフロー特性ページのディスプレイを示す図である。
【図１７】開始時刻及び終了時刻を変更した事象ビューである。
【図１８】危険タスクメニューの選択を行うディスプレイの図である。
【図１９】危険タイプによって機械クラスを選択するディスプレイの図である。
【図２０】軽度の警告のディスプレイを示す図である。
【図２１】重度の警告のディスプレイを示す図である。
【図２２】マップタスクと、そのマップタスクに有効なオプションとを閲覧するために選択するディスプレイの図である。
【図２３】再配置する機械を選択するディスプレイの図である。
【図２４】再配置する機械の位置を選択するディスプレイの図である。
【図２５】可視層ワークフローを管理するディスプレイの図である。
【図２６】表示された項目に関してさらに情報を得るために選択するディスプレイの図である。
【図２７】ダッシュボードタスクメニュー及び関連オプションを選択するディスプレイの図である。
【図２８】遠隔監督者端末（ＲＦＴ）−キープロセスインジケータ（ＫＰＩ）の累積した産出高のディスプレイを示す図である。
【図２９】ＲＦＴ−ＫＰＩの産出高のディスプレイを示す図である。
【図３０】ＲＦＴ−ＫＰＩの利用効率のディスプレイを示す図である。
【図３１】ＲＦＴ−ＫＰＩの荷積ツール効率のディスプレイを示す図である。
【図３２】ＲＦＴ現場マップのディスプレイを示す図である。
【図３３】ＲＦＴ走行進捗モニタのディスプレイを示す図である。
【図３４】ＲＦＴ走行進捗モニタのディスプレイを示す図である。
【図３５】走行進捗モニタのディスプレイを示す図である。
【図３６】健全性タスクメニュー及び関連オプションのディスプレイを示す図である。
【図３７】健全性モニタディスプレイのｙ軸に現れる選択項目のディスプレイを示す図である。
【図３８】健全性モニタチャートビューのディスプレイを示す図である。
【図３９】健全性モニタディスプレイへの追加対象イベントを選択するディスプレイの図である。
【図４０】健全性モニタイベントビューのディスプレイを示す図である。
【図４１】健全性測定値グループへの追加対象測定値を選択するディスプレイの図である。
【発明を実施するための形態】
【００１２】
図１は、サンプルとしての演算システムの要素の一部を示す高位の図である。演算システムは、専用演算装置、専用携帯用演算装置、演算装置上のアプリケーション、携帯用演算装置上のアプリケーション、又はこれらすべての組み合わせであってもよい。
【００１３】
図１は、システムの一部として物理的に構成されたサンプルとしての携帯用演算装置１００であってもよい。携帯用演算装置１００は、コンピュータにより実行可能な指示に物理的に従うプロセッサ１０５を備えてもよい。充電可能なバッテリ等の携帯用電源１１０を備えてもよい。また、動画や音声の表示を補助する音声及び動画モジュール１２０を備えてもよい。装置１００は、電源及びバッテリの持続時間を延ばすため、使用されないときにはオフにされてもよい。携帯用演算装置１００はさらに、揮発性メモリ１３０及び不揮発性メモリ１４０を備えてもよい。マイクロホン、入力等の種々のユーザ入力装置とデータのやりとりを行う入力／出力バス１５０が設けられてもよい。さらに、無線インタフェース又は有線インタフェースのいずれかを通じたネットワークを介する通信を制御してもよい。勿論、これは単に携帯用演算装置１００の一実施形態を述べたものであって、携帯用演算装置１００の数及び種別は想像のみによって制限されるものである。
【００１４】
図２は、システムの一部として物理的に構成されるサンプルとしてのサーバ２００であってもよい。サーバ２００は、コンピュータにより実行可能な指示に物理的に従うプロセッサ２０５を備えてもよい。さらに、動画及び音声の表示を補助する音声及び動画モジュール２１０を備えてもよく、電源及びバッテリの持続時間を延ばすために、使用されないときにはオフにされてもよい。サーバ２００はさらに、揮発性メモリ２２０と不揮発性メモリ２３０とを備えてもよい。データベース２５０は、メモリ２２０又は２３０に記憶されるか、個別に記憶されてもよい。データベース２５０はさらに、演算装置２００のクラウドの一部であってもよく、複数の演算装置２００に亘って分散して記憶されてもよい。マイクロホン、入力等の種々のユーザ入力装置とデータのやりとりを行う入力／出力バス２４０がさらに設けられてもよい。入力／出力バス２４０はさらに、無線装置又は有線装置のいずれかを介する外部ネットワーク２５２との通信を制御してもよい。勿論、これは単にサーバ２００の一実施形態を述べたものであり、携帯用演算装置２００の数及び種別は想像のみによって制限されるものである。
【００１５】
図３は、演算装置を使用して採掘用ユーザインタフェースを作成する方法を示す図である。高位において、図示のシステムは、異なるユーザ及び異なる使用に合わせて種々のデスクトップ４００（図７及び図８）を備えるユーザインタフェースシステムであってもよい。デスクトップ４００は、デスクトップ４００のユーザに関連の情報を含むウィンドウ又はデスクトップ４００の複数のビューを有してもよい。高位において、デスクトップに関連の動作は、一連のタスク又はワークフローと見做してもよい。
【００１６】
デスクトップ４００の作成は、このようなタスク４１０の１つであってもよい。デスクトップのタスクには、デスクトップの作成及び管理、新たなデスクトップの追加、デスクトップの名称設定、デスクトップの複製、デスクトップの編集、デスクトップの選択、デスクトップ４００を閉じること、及び遠隔管理者のインストールを行うオプションが含まれてもよい。図４は、複数のビューを備えた複数のデスクトップ４００から新たなデスクトップ４００が選択される様子を示している。
【００１７】
図５において、デスクトップ４００のレイアウトが選択されてもよい。ユーザは、種々の方法で新たなデスクトップ４００の作成の選択を行ってもよい。例えば、デスクトップ４００のタブ領域の端部において「＋」４３０を選択し、続いて表示されたメニューから「新たなデスクトップの作成」というオプションを選択するか、若しくは、ナビゲーションバーのタスク領域において「デスクトップ」→「新たなデスクトップの作成タスク」４１０を選択してもよい。
【００１８】
新たなデスクトップの作成を選択した後、デスクトップワークフロー画面を表示し、利用可能なレイアウトの選択肢を示してもよい。ユーザは、デスクトップの名称を入力してもよい。ユーザは、図５に示すとおり、デスクトップ４００の所望のレイアウト４３２を選択してもよい。
【００１９】
図６に示すとおり、利用可能なビュー４３４のリストが、表示されてもよい。ユーザは、どのようにビューを表示させたいかを示すべく、レイアウト領域内に所望のビューをドラッグする。ユーザは、「保存」を選択してもよい。デスクトップ４００のワークフロー画面は閉じられてもよい。名称の入力されたデスクトップ４００が、画面最下部のデスクトップタブ４３６に追加されてもよい。このタブは、ユーザによって選択されたレイアウト及び構成を示す最前面に配置されてもよい。ユーザは、所望のサイズ及び特性（例えば、特定の機械に従う）を有するように、デスクトップ４００のビューを構成する。ユーザは任意で、将来の使用のために、デスクトップ４００の構成を保存する。ユーザは、この構成を終了する前に、デスクトップ４００のレイアウト及びビュー構成するため、「戻る」及び「次へ」を使用して操作を行なってもよい。
【００２０】
ユーザが所望の構成を選択した後、デスクトップ４００は、画面最下部のデスクトップ４００タブ領域に追加されてもよい。このタブは、以上に指摘したとおり、レイアウト及びビュー構成を示す最前面に配置されてもよい。
【００２１】
デスクトップ４００はさらに、複数のタスク４１０を含んでもよく、タスク４１０には、タスク４１０と、タスク４１０とともに保存されてもよい複数のドラフト４２０とを完成するために実行されてもよい追加のステップが含まれてもよい。デスクトップ４００はさらに、恒常的なナビゲーションバー又は恒常的な検索領域等、すべてのデスクトップ４００に亘って恒常的に存在する複数の要素を有してもよい。
【００２２】
図３に戻ると、ブロック３００において、第１の採掘用デスクトップ４００が表示されてもよい。採掘用デスクトップ４００は、デフォルト値に応じて設定されてもよく、ユーザによって構成されてもよい。また、複数のデスクトップ４００が設けられてもよい。デスクトップ４００は、特定のユーザに合わせたものであってもよく、若しくは、機器オペレータ又は運転者等、特定の地位に合わせたものであってもよい。論理的には、デスクトップ４００を作成するのに使用されるデータが設けられてもよい。
【００２３】
デスクトップ４００は、複数のタブの中から１つのタブを選択することによって閲覧されてもよい。タブ４３６は、複数のデスクトップ４００に亘って恒常的に配置されてもよい。さらに、選択可能なオプションのリボンが、デスクトップ４００に亘って恒常的に表示されてもよく、使用される色がデスクトップ４００に亘って恒常的に設定されてもよい。例えば、表示されるトラックはすべて黄色であってもよく、タブはすべて青色であってもよく、警告はすべて赤色であってもよい。さらに、色が機械のステータスを示してもよく、種々のデスクトップ４００に亘って恒常的に設定されてもよい。また、警告の色は、車両に問題が生じた場合、その深刻さのレベルを示してもよく、例えば赤色が非常に危険な場合を意味し、オレンジ色が軽度の懸念を意味するものとしてもよい。
【００２４】
ブロック３１０において、採掘システムに組み込まれた１つ又は複数のデスクトップ４００のビューは、複数の採掘ビューから選択されたデスクトップ４００の一部として表示されてもよい。システムにおけるデスクトップ４００のビューは、終わりが限定されていない長期に亘るタスク４１０であってもよい。システムの修正及び操作がワークフローウィンドウ４４０に表示されてもよい。デスクトップ４００のビューは、デスクトップ４００上のウィンドウと見做されてもよく、各デスクトップ上には複数のウィンドウが設けられてもよい。現場マップ、機械リスト、ユーザリスト、及び予定ジョブを含む利用可能な多数の異なる種別のビューが設けられてもよい。ユーザは、デスクトップ４００のレイアウト内で異なるビューを使用することにより、自らにとって重要なシステムの領域に注目するよう、表示をカスタマイズすることができる。ウィンドウは、異なるデスクトップ４００内で再現されてもよい。
【００２５】
デスクトップ４００のビューのうちの少なくとも１つは、採掘層及び採掘装置を含む採掘現場のビューであってもよい。採掘現場のビューの高さは、調整可能であってもよい。デスクトップ４００のビューのうちのもう１つは、アクティブな装置の詳細であってもよい。さらにもう１つの表示ビューは、機械のステータス、現場の統計値、機械待ち時間、アクティブな機械、アクティブでない機械、及びすべての機械及び警告の即時統計値であってもよい。
【００２６】
表示された項目が選択されると、その項目についての追加の情報が表示されてもよい。例えば、機械が選択されると、機械の現在のステータスが表示されてもよい。同様に、生産グラフが選択されてもよく、グラフの作成に使用されるデータが表示されてもよい。
【００２７】
「システム検索領域」も、デスクトップの一部としてもよい。システム検索領域により、ユーザに、以下の項目を見つけるべくシステムの「スマート検索」を実施させてもよい。すなわち、エンティティ、タスク、通知、及びドラフトである。スマート検索により、ユーザは以下の機能にアクセスしてもよい。
【００２８】
ヘルプ。製品に関するユーザヘルプ文書を表示する。
【００２９】
関連。バージョン情報及びライセンス情報を含む製品情報画面を表示する。
【００３０】
ログアウト＜ユーザ名＞。現在ログイン中のユーザに製品からログアウトさせる。
【００３１】
関連のセーフティチェックリストを合わせて表示してもよい。
【００３２】
ブロック３２０において、デスクトップ４００に関連の採掘タスク４１０が、デスクトップの一部として表示されてもよい。タスク４１０は、資材の移動、ピットの掘削等、何らか完遂の必要なものであってもよく、これらはすべて、種々のステップの完遂を必要とするものである。「ウィザード」を使用してユーザが種々のステップを実施するのを案内してもよく、ウィザードはすべてのステップをリスト化し、ステップを通じて進捗を継続的に追跡し、ステップの途中でヘルプを提示してもよい。タスク４１０の進捗は、ドラフトボタン４２０を使用して保存されてもよい。ドラフトは、将来、詳細を追加できるように読出可能であってもよい。タスク４１０には、後の点検のため、追加、修正、削除、及び記憶が実施されてもよい。
【００３３】
サンプルとしてのタスク４１０がいくつか図７に示されており、これには、機械タスク４１０、オペレータタスク４１０、ゾーンタスク４１０、事象タスク４１０、危険タスク４１０、ユーザタスク４１０、ジョブタスク４１０、デスクトップ４００のタスク４１０、マップタスク４１０、自動化タスク４１０、ダッシュボードタスク４１０、及び健全性タスク４１０が含まれてもよい。これらすべてについて後述する。
【００３４】
ワークフローウィンドウは、ユーザがシステム内の情報を修正する際に表示されてもよい。開始及び終了の規定された作業のみをワークフローと考えてもよい。典型的な動作には、新たなエンティティの追加又は既存のエンティティ修正が含まれてもよい。ワークフローウィンドウは、表示される際、画面中央に配置されてもよく、その内容に応じてサイズが設定されてもよい。ワークフローウィンドウは、移動可能であってもよく、サイズ変更可能であってもよい。ウィンドウは、「ドラフトへ送信」「ウィンドウ最大化」及びワークフローに対するキャンセル動作に対応して、最上部右側角部に最小化ボタン、最大化ボタン、及び閉じるボタンを有してもよい。ワークフローは、タスク４１０内のステップと考えられてもよい。
【００３５】
機械タスク
機械タスク４１０は、機械に関連の種々のアクションを許容してもよい。サンプルとしてのアクションには、新たな機械の追加（図７）、機械の管理、新たな機械クラスの追加、機械クラスの管理、新たな機械のカテゴリー、機械カテゴリーの管理、及び走行進捗モニタの閲覧（図３５）が含まれてもよい。
【００３６】
図８を参照すると、ワークフロー４３８は、新たな機械の追加を示しており、名称の追加、機械カテゴリーの追加、機械クラスの追加（図９）、及び機械への構成名の追加を含んでもよい。また、通信アドレス及びグローバルポジショニングシステム（ＧＰＳ）受信機の位置が提供されてもよい。
【００３７】
図１０は、オペレータタスク４１０と、新たなオペレータの追加又はオペレータの管理等、利用可能なオプションを示している。新たなオペレータの設定には、識別子及び名称の追加が含まれてもよい。オペレータの管理には、リストからのオペレータの選択が含まれてもよい。
【００３８】
ゾーン
図１１を参照すると、ゾーンタスク４１０は、例えば、現場マップ上で使用するための危険領域４５０の作成を示す図１２に示すように、ゾーン管理を必要とするところで利用可能であってもよい。
【００３９】
一実施形態において、ユーザは、新たなゾーンを作成するために、現場マップの編集を選択してもよい。この現場マップは、ツールバー上に編集ツールを示すワークフローウィンドウ内に表示されてもよい。ユーザは、ツールバーから「多角形描写モード」ボタンを選択してもよい。ボタンは、現在のモードを示すため、落ち窪ませてもよい。ユーザは、マップ内をクリックして領域を作成してもよく、ダブルクリックして最終地点を追加してもよい。この領域はデフォルトカラーで表示されてもよく、ゾーン情報を示すポップアップウィンドウが表示されてもよい。ユーザは、名称、及び、ゾーンに関するその他の特性を情報ポップアップ内に入力してもよい。ユーザは、ポップアップの最上部右側の閉じるボタンを使用してポップアップを閉じてもよい。ユーザは、現場マップのすべての修正が一旦終了すると、「保存」ボタンを選択してもよい。現場マップのワークフローウィンドウが閉じ、新たなゾーンがシステムに適用され、すべての現場マップ上に出現してもよい。ユーザは、作成したゾーンを廃棄し、ワークフローウィンドウを閉じるために、現場マップのワークフローウィンドウ上の「キャンセル」ボタンを選択してもよい。
【００４０】
ユーザは、現場マップ内の既存のゾーンを修正するため、現場マップの編集を選択してもよい。現場マップは、ツールバー上の編集ツールを示すワークフローウィンドウ内に表示されてもよい。ユーザは、ツールバーより「選択モード」ボタンを選択してもよい。このボタンは、現在のモードを示すため、落ち窪んでもよい。ユーザは、修正対象の所望のゾーンを選択してもよい。ゾーン情報を示すためのポップアップウィンドウが表示されてもよい。ユーザは、所望のとおり、ゾーンの詳細を修正してもよい。ユーザは、最上部右側角部の閉じるボタンを使用してポップアップを閉じてもよい。
【００４１】
ユーザは、ゾーンの境界をクリック及びドラッグすることにより、ゾーンを示す多角形を選択及び修正してもよく、若しくは、現場マップの編集ツールを使用して、現場マップ内の既存のゾーンを削除してもよい。
【００４２】
事象
図１３は、事象タスク４１０を示している。「事象管理」は、さらなる解析に供するため、関連事象イベントをグループ化する機構を提供する。事象タスク４１０には、事象イベントの閲覧、新たな事象レポートの作成、事象レポートの管理、新たな事象カテゴリーの作成、事象カテゴリーの管理、新たな事象要因の作成、及び事象要因の管理が含まれてもよい。
【００４３】
図１４を参照すると、事象イベントの閲覧にはさらに、事象データ、事象発生時のオペレータ、事象発生時の機械、事象の種別、事象の間に発生するアクティビティ、及び事象の詳細の閲覧が含まれてもよい。
【００４４】
図１５を参照すると、新たな事象レポートでは、事象データ、事象発生時のオペレータ、事象発生時の機械、事象の種別、事象の間に発生するアクティビティ、及び事象の詳細の閲覧を回収してもよく、追加の解析のためにデータを記憶する。
【００４５】
図１６を参照すると、事象にはさらに、カテゴリー、要因、オペレータ、履歴、及びコメント等、リクエストされた種々の情報が含まれてもよい。事象レポートは、クエリーを行って点検されてもよく、新たなカテゴリーが追加されてもよい。同様に、事象要因が複数のカテゴリーから選択されてもよく、検索されて点検されてもよい。論理的には、事象要因はリストから選択されてもよく、若しくは、新たな要因が追加されてもよい。
【００４６】
事象イベントの表、及び、表示されたイベントの位置を示す現場マップがユーザに表示されてもよい。図１７は、可能な１つの事象に関する表を示している。表には、事象の日付、回数、オペレータ、機械、種別、アクティビティ、及び詳細が含まれてもよい。事象は、マップ上で検索及び閲覧されてもよい。表示されたイベントは、デフォルトで、ユーザのログイン時から追加で１時間前以降に発生したすべてのイベントとしてもよい。ユーザはさらに、異なる期間内に発生したイベントを示すようにビューを構成してもよい。
【００４７】
事象イベントの歴史的特性によって、現場マップは、機械の位置情報を含まず、事象情報のみを表示してもよい。新たな事象イベントは、発生後、直ちにこのビューに追加されてもよい。
【００４８】
ユーザは、表内で所望のイベントを選択することにより、イベントの発生した場所を閲覧してもよい。選択されたイベントは、現場マップ４７０上でハイライト表示されてもよい。イベントが視認できる領域内に無い場合、マップは適切な位置にパンしてもよい。複数のイベントが選択された場合、複数のアイコンがマップ上でハイライト表示されてもよい。選択されたすべてのイベントを確実に視認することが求められる場合、マップはズームアウトしてもよく、適切な位置にパンしてもよい。ユーザは、現場マップ上のイベントアイコンに対応するイベント情報を閲覧するため、マップ内の所望のアイコンを選択してもよく、表内でそのイベントの行が選択されてもよい。表は、必要に応じてスクロールされることにより、この行が確実に視認されるようにしてもよい。
【００４９】
デフォルトで、ユーザのログイン時から追加で１時間前以降に発生したすべての事象イベントをユーザに表示してもよい。ユーザは、別の期間内に発生したイベントを閲覧するようビューを構成してもよい。
【００５０】
ユーザは、特定の期間内に発生したイベントを表示するため、「事象管理」ビューの最上部にある「開始時」欄４７２において日時を特定してもよい。イベントに関する表は、特定された時刻以降に発生したすべてのイベントを示すようにフィルタが掛けられてもよい。ユーザは、「事象管理」ビューの最上部にある「終了時」欄において日時を特定してもよい。イベントに関する表は、特定された時刻以前に発生したすべてのイベントを示すようにフィルタが掛けられてもよい。「開始時」欄及び「終了時」欄の双方が特定された場合、表示されるイベントはその時間フレーム内のイベントとしてもよい。
【００５１】
ユーザは、「現在」ボタンを選択することにより、時間フレームのフィルタを掛けることなく、表にすべての事象イベントを示すように表示を戻してもよい。ユーザは、新たな「事象記録」を作成するために、「事象管理」ビュー上の表内において、関連の事象イベントを選択してもよい。ユーザは、このビューのため、ツールバー上で「新規記録」ボタンを選択してもよい。「新規事象記録」ワークフローウィンドウが表示されてもよい。選択されたイベントが、「解析」ページの「関連イベント」領域に表示されてもよい。
【００５２】
ユーザは、既知のイベントがすべて表示されていることを確認するため、関連イベントのリストをスキャンしてもよく、その後、「取得」ボタンを選択してもよい。選択された事象イベントセットを内包する時間フレームに対応した利用可能なデータがすべて取得され、新たな事象記録とともに記憶される。一旦取得されると、「解析」ページには、すべての事象イベントに関連の履歴がテキスト形式で表示されてもよく、新たなタブ上には各々、事象が空間的にプロットされた現場マップが表示されてもよい。デフォルトで「空間的ビュー」タブが選択されてもよい。
【００５３】
ユーザは、事象が時間経過に合わせてどのように発生したか（すなわち、事象記録として選択されたイベントの時間ベースの再生）を見るために、「解析」ページの「空間的ビュー」上の「再生」ボタンを選択してもよい。ユーザは、継続するために「次へ」ボタンを選択することにより、事象記録に適切な事象イベントが含まれていることを確認してもよい。「新規事象記録」ワークフローの「詳細」ページが表示されてもよい。ユーザは、記録のために「概要」を入力してもよく、概要によって事象の基本的概略が提供されてもよい。ユーザは、記録のために「カテゴリー」を選択してもよい。これにより、例えば「減速の失敗」「現場の障害」等、事象を分類してもよい。ユーザは、悪天候、機械の不具合等、把握している事象の要因をハイライト表示する記録の「要因」を選択してもよい。ユーザは、この事象に関わるオペレータを確認してもよい。デフォルトで、選択された事象イベントの機械にログインしたオペレータが、事象記録に自動追加されるようにしてもよい。
【００５４】
ユーザは任意で、新たな事象イベントを追加する（以前に追加されたイベントは削除されなくてもよい）。ユーザは任意で、「取得」ボタンを選択することにより、事象を記録するために情報を再取得する。ユーザは、以前に記録されたコメントを読むため、テキスト履歴を閲覧してもよい。ユーザは、「次へ」ボタンを選択してもよい。「事象記録の編集」の「詳細」ページが表示されてもよい。概要情報が、読み取り専用で表示されてもよい。ユーザは、所望により、「カテゴリー」及び「要因」を修正してもよい。ユーザは、「コメント追加」ボタンを選択することにより、コメントの追加を選択してもよい。ノート入力領域が表示されてもよい。ユーザは、事象イベントの以前の解釈を補足するノートを入力してもよい。このコメントは、事象記録が保存された後、テキスト履歴内に現れるようにしてもよい。ユーザは、「保存」ボタンを選択してもよい。事象記録は更新されてもよく、取得された情報はすべて、将来参照するために記憶されてもよい。
【００５５】
危険
危険は、採掘環境における既知の障害物、すなわち、潜在的危険領域であてもよい。図１８は、危険タスク４１０と、利用可能な危険オプションを示す図である。危険に対処するためのタスク４１０が設けられてもよい。危険タスク４１０には、新たな危険種別の追加と危険種別の管理とが含まれてもよい。新たな危険種別には、名称、ゾーンの色、侵入メッセージ、退出メッセージ、速度制限、危険帯域の長さ及び幅が含まれてもよい。図１９は、危険が特定の機械クラスに適用されることを示している。
【００５６】
危険ゾーンが設けられてもよく、危険ゾーンには、回避ゾーン、侵入通知ゾーン、又は退出通知ゾーンを含む群のうちの少なくとも１つが含まれてもよい。
【００５７】
図２０は、マップ４８０上における危険とゾーンとの組み合わせを示しており、例えば、岩棚又はその他の潜在的に致命的な危険を含む赤色の「立入禁止」ゾーン４８２を示してもよい。他の例において、緑色の「速度」ゾーン４８４を使用して、道路が水で濡れており、車両は速度制限を下げていることを観察しなければならない旨の忠告を行ってもよい。
【００５８】
通知
デスクトップ上では、ユーザへの通知が表示されてもよい。通知によって、必要な注意レベルを上げることを要求してもよい。通知には、構成の変化が発生したことを示す情報、若しくは、ユーザへの一般的情報が含まれてもよく、これはシステム警告がトリガされたものの、未だ不具合が発生していないことを示す警告であってもよい。通知はさらに、ユーザの注意が必要なエラー又は不具合がシステム内で発生したことを示すエラーの通知であってもよい。通知はさらに、システムの機能性又は操作性に影響を与えることもあるために直ちに注意を払うことが必要な重大な不具合が発生したことを示す、重大な不具合の通知であってもよい。
【００５９】
ユーザが新たな通知を受信すると、通知の概要を含むウィンドウの「通知」領域上に、小さなポップアップウィンドウが（短く）表示されてもよい。また「通知」領域において対応する深刻度の傍らに表示された数がインクリメントされてもよい。各通知は、予め規定された関連の深刻度を有してもよい。一実施形態において、深刻度の順位（最高〜最低）は以下の通りであり、その関連の色とともに示す。
情報及び構成−白／無色
警告−黄色
エラー−オレンジ
不具合−赤
【００６０】
小さな黄色の通知４８６を示す図２０と、中程度のオレンジ色の通知４８８を示す図２１とに例を示す。
【００６１】
予め構成されたレベル以上の通知について、ポップアップウィンドウは、ユーザが手動でそれを閉じるまで開いたままであってもよく、例えば、重度の不具合は可視化されたままである一方で、情報メッセージは短時間で自動的に見えなくなってもよい。これにより、ユーザにより重要なシステムエラーを確実に把握させるようにしてもよい。
【００６２】
ユーザは、構成された特定任務の工順を含む通知を受信すると、その任務を実施する場合は通知の受信のみを行ってもよい。対応任務への特定種別の通知の割当は、事前構成されてもよく、ユーザによって修正可能でなくてもよい。
【００６３】
ユーザは、通知の詳細を完全に表示するため、ウィンドウの「通知」領域内の所望の通知と関連付けられた深刻度のアイコンをシングルクリックしてもよい。ポップアップウィンドウが表示されてもよく、選択された深刻度を有する全未処理表示の詳細には発生時刻が含まれてもよい。各通知の傍らにはアクションボタンを表示し、ユーザによって対応のアクションが開始されるようにしてもよい。
【００６４】
ユーザは、ポップアップウィンドウ上の適切なボタンを選択することにより、調査又はアクションの実施を選択してもよい。ウィンドウが閉じられ、適切なアクションがとられてもよく、例えば、ユーザはさらに調査を進めるためにシステムの適切な領域に誘導されてもよく、若しくは、ユーザの代わりにアクションが実施されてもよい。選択された通知に対応する深刻度のカウンタがデクリメントされてもよい。通知が実施されて現在の通知領域から一旦削除されると、新規通知領域内の通知ポップアップウィンドウ上に見出されてもよい。
【００６５】
複数の事前設計デスクトップ４００が設けられてもよい。１つのデスクトップ４００は、採掘監督者用に設計された監督者用デスクトップ４００であってもよい。監督者用デスクトップ４００は、採掘環境内にある装置を空間的に示しており、採掘環境で任務を課された装置を示している。監督者用デスクトップ４００は、採掘の全体的進捗、採掘環境での生産に関する問題、採掘環境における運転者の進捗、採掘環境における運転者の生産性、採掘環境における事象、及び監督者に関連の警告を示している。監督者用デスクトップ４００はさらに、監督者タスク４１０を完遂するために提案するステップを表示する、監督者タスク４１０を示している。複数の監督者用デスクトップ４００が設けられてもよく、各監督者用デスクトップ４００が特定の監督者向けに調整されてもよい。
【００６６】
他のデスクトップ４００として、採掘運転者用に設計された運転者用デスクトップ４００であってもよい。運転者用デスクトップ４００は、採掘環境における運転者の進捗を示してもよい。運転者用デスクトップ４００は、運転者の関連領域における危険、事象、及び警告を示してもよい。運転者用デスクトップ４００はさらに、採掘環境におけるゾーン及び領域を運転者に示してもよい。運転者用デスクトップ４００はさらに、運転者タスク４１０を完遂するために提案されたステップを表示してもよい。複数の運転者用デスクトップ４００が設けられてもよく、各運転者用デスクトップ４００が特定の運転者向けに調整されてもよい。
【００６７】
他のデスクトップ４００として、採掘メンテナンス担当者用に設計されたメンテナンス用デスクトップ４００であってもよい。メンテナンス用デスクトップ４００は、採掘環境における車両及び採掘環境における車両のステータスを示してもよい。メンテナンス用デスクトップ４００は、採掘環境における事象を、採掘環境におけるメンテナンス警告とともに示してもよい。複数のメンテナンス用デスクトップ４００が設けられてもよく、各メンテナンス用デスクトップ４００が特定のメンテナンス担当者向けに調整されてもよい。
【００６８】
もう１つのタスク４１０として、マップタスク４１０であってもよい。図２２に示すとおり、マップタスク４１０にはさらに、現場マップの閲覧、運転停止機械の再配置、層のインポート、インポートされた層の管理、及び保存されたビューの管理が含まれてもよい。運転停止機械の再配置は、機械の選択と、機械のマップ上への配置を必要とする。図２３は、機械が機械リストから選択されるか、若しくは、機械が手動で入力されることを示している。図２４は、機械のマップ上への配置を示している。層ファイルがインポートされるか、若しくは、リストから選択される。さらにビューが保存及び管理される。図２５に示すとおり、視認可能な層が選択され、異なる項目がこれらの層に追加されてもよい。
【００６９】
マップ上で項目を選択し、その項目についての簡単な詳細を表示するため、ユーザはその項目を直接選択してもよい。情報用吹き出しが表示され、選択されたエンティティについての概要情報を示してもよい。選択の結果が図２６に示されており、ここでは機械が選択され、機械及びその運転者についての追加情報が表示されてもよい。
【００７０】
ユーザはさらに、項目グループを選択してもよい。情報用吹き出しが表示され、選択されたエンティティのリストをハイパーリンクとして示してもよい。そしてユーザは、対応するハイパーリンクを選択することにより、所望のエンティティに関する情報に誘導されてもよい。そして吹き出しは更新され、エンティティの概要情報を表示してもよい。
【００７１】
情報用吹き出しが一旦表示されると、ユーザは吹き出しの最上部右側にある閉じるボタンを使用するか、若しくは、マップ上のその他の場所をクリックすることにより、吹き出しを閉じるよう選択してもよい。吹き出しを再度表示するには、その項目を再度選択するか、若しくは、マップ（現在の選択に関する情報を示していてもよい）用のツールバー上にある「情報」ボタンをクリックしてもよい。吹き出しを開いたままにするには、ユーザは、吹き出しの最上部右側にあるピンを使用して、詳細を適当な位置にピン留めしてもよい。吹き出しは、一旦ピン留めされて開いたままにされると、手動で閉じられるか、ユーザが吹き出しのピン留めを外した後、他のどこかをクリックするまで開いたまま維持されてもよい。
【００７２】
吹き出しは、関連の項目から取り外して、現場マップ内のより適切な位置へと移動されてもよい。吹き出しは、一旦取り外されると、自動で新たな位置にピン留めされて開いたまま維持される。吹き出し又はその関連のエンティティの周辺を行き来すると、その関連性を示すようにリンクが示されてもよい。
【００７３】
現場マップはさらに修正されてもよい。ユーザは、現場マップ用のツールボタン上にある「編集」ボタンを選択してもよい。編集可能なマップを含むポップアップウィンドウが表示されてもよく、オリジナルマップと同一の視認可能な領域を、機械やユーザを表示せずに示してもよい。表示された現場マップ用のツールバーでは、利用可能な編集ツールセットが拡張されていてもよい。ユーザは、適切にマップを修正する。ユーザは（任意で）、変更をドラフト４２０として保存してもよい（例えば、長期の継続時間に亘って発生した修正）。ユーザは、「保存」ボタンを選択することにより、変更を記憶してもよい。ポップアップウィンドウが閉じられてもよく、変更がシステムに適用される。
【００７４】
ダッシュボード
ダッシュボードタスク４１０（図２７）には、キーパフォーマンスインジケータの閲覧が含まれてもよい。キーパフォーマンスインジケータには、生産インジケータ、利用インジケータ、及び荷積インジケータが含まれてもよい。
【００７５】
デスクトップ４００のうちの１つは、遠隔管理者用デスクトップであってもよい。遠隔管理者用デスクトップ４００は、採掘作業の進捗（図２８）、採掘作業のステータス、採掘作業の生産タイムライン、採掘作業の目標に対する進捗（図２９）、荷積ツールの利用可能性及び利用（図３０及び図３１）、及び採掘作業において利用可能なすべてのデスクトップ４００を示す。
【００７６】
遠隔管理者用デスクトップ４００は、遠隔管理者タスク４１０を示し、運転者タスク４１０は、遠隔管理者タスク４１０を完遂するために提案されたステップである。複数の遠隔管理者用デスクトップ４００が設けられてもよく、各遠隔管理者用デスクトップ４００は特定の遠隔管理者向けに調整されてもよい。
【００７７】
図３２等の採掘現場マップは、遠隔地より点検されてもよく、採掘現場マップには、以下よりなる群から選択される少なくとも１つが含まれる。
遠隔監督者端末（ＲＦＴ）現場マップ
遠隔管理者端末−キープロセスインジケータ（ＫＰＩ）の産出高
ＲＦＴ−ＫＰＩ利用効率の表示
ＲＦＴ−ＫＰＩ荷積ツール効率の表示
ＲＦＴ走行進捗モニタの表示
ＲＦＴ走行進捗モニタ
【００７８】
遠隔監督者端末（ＲＦＴ）は、図１の携帯用演算装置１００であってもよく、若しくは、これに類似のものであってもよく、主として野外で閲覧されるシステムの低帯域幅ビューを監督者に提供し、システム及び採鉱担当者によってなされた判断を監視させる。本明細書では、ユーザインタフェース設計の第１フェーズの詳細を述べる。
【００７９】
遠隔監督者端末は、以下の主要要素を備える。
現場モニタ
ＫＰＩダッシュボード
走行進捗モニタ
【００８０】
遠隔監督者端末の独自の作業条件により、必要な特定機能を携帯するために、軽量ユーザインタフェースが構築されている。このユーザインタフェースは、クライアントの機能すべてを含むものでなく、監督者が遠隔地から必要とする特定の機能のサブセットに対して簡便に読み取り専用でアクセスできるようにするものである。潜在的に不十分なネットワーク条件を考慮に入れて、この機能自体を低下させてもよく、例えば、遠隔監督者端末については現場モニタのデータ更新率を下げるということが考えられてもよい。
【００８１】
アプリケーションの遠隔監督者端末セクションは、低帯域幅条件及び低接続性条件の双方を考慮していてもよい。ユーザが遠隔地に向かうのに先立って高帯域幅の位置に薄型のクライアントアプリケーションを事前搭載する必要性、若しくは、野外にてまず一度、潜在的に長時間に亘ってダウンロードを行う必要性を取り除くために、遠隔監督者端末は、エアアプリケーション装置（Air application installation）として利用可能であってもよい。
【００８２】
ユーザは、遠隔監督者端末アプリケーションをインストールするために、薄型クライアントの「タスク」メニューから「機械」→「ＲＦＴ開始」オプションを選択してもよい。これにより、クライアントの作動している機械１００上にアプリケーションをダウンロード、インストール、及び開始してもよい。初期インストール後、ダウンロードされたファイルがその機械上に維持され、アプリケーションが開始されてもよく、帯域幅のオーバーヘッドのみが現在の情報表示の更新に必要なデータとなる。あるいは、アプリケーションはファイルシステムを介してインストールされてもよいが、「ＲＦＴ開始」オプションを使用する方を好適な機構としてもよい。
【００８３】
一実施形態において、ＲＦＴアプリケーションは、Ａｄｏｂｅ  Ｓｙｓｔｅｍｓより利用可能なＡｄｏｖｅ  Ｉｎｔｅｇｒａｔｅｄ  Ｒｕｎｔｉｍｅ  （ＡＩＲ）プラットフォーム等のランタイム環境を使用して構築されてもよい。薄型クライアント上において、ＲＦＴクライアントアプリケーションのレイアウトは、非常に高い光条件、非常に低い光条件、画面サイズの制限、及びタッチスクリーンの潜在的使用を含む遠隔操作条件に特有の要件を考慮するために異なる。
【００８４】
ユーザは、画面最上部にあるオプションにより、現場マップ、ＫＰＩ、又は走行進捗モニタ（ＴＰＭ）セクションへと誘導されてもよい。デフォルトで、アプリケーションは現場マップを開いて表示するようにしてもよく、マップは図３２のように、現場の境界までのものが開かれている。
【００８５】
遠隔監督者端末（ＲＦＴ）は、非常に高い光条件及び非常に低い光条件の双方における使用を考慮していてもよい。例えば、ユーザは、アプリケーションのタイトルバー領域にあるアイコンを選択することにより、明るい動作モードと暗い動作モードとを切り替えてもよい。
【００８６】
「明るい」モードで動作する際、ユーザインタフェースは、潜在的な反射を取り除いた画面等、高い光条件下でも視認することのできる色方式で表示してもよく、例えば白／明色の背景に適切な対照色を使用する。
【００８７】
「暗い」モードで動作する際、ユーザインタフェースは、暗い環境でもユーザが視認でき、障害をもたらすことなく暗い環境に戻れるような色方式でユーザインタフェースに表示してもよく、例えば黒／暗色の背景上に明るすぎない対照色を使用する。
【００８８】
ＲＦＴは、不十分な接続条件下で動作することが求められるアプリケーションをホストするため、現在の接続ステータスが、アプリケーションの最下部のアイコンを通じてユーザに表示されてもよい。
【００８９】
接続が動作の最低基準をサポートするのに必要な事前構成閾値を下回る場合、ステータスは、サービスの最低基準に達した最終時刻とともに、アプリケーションがオフラインである旨を示してもよい。また接続が間欠的であるか、若しくは閾値に近づいている場合、中間状況を表示してもよい。これにより、ユーザは、表示された情報がどの程度現在のものに近いかを把握する。
【００９０】
さらに、装置が低帯域幅の位置にあるか否かを判定し、低帯域幅環境に合わせてデスクトップ４００を調整してもよい。状況によっては、デスクトップ４００又は装置とテキストメッセージのやり取りをしてもよい。他の一例としての実施形態において、例えば、タグ／長さ／値の形式でデータ値のみを送信してもよく、所定のグラフィック形式でデータを供給するのに使用してもよい。その他、圧縮及び／又はストライプされたデータを送信する方法を使用してもよい。
【００９１】
ＲＦＴアプリケーションは、図３３のようなマッピングインタフェースを介して、現場のビューを読み取り専用で表示してもよい。これは、タイトルバー領域の「マップ」誘導オプションを選択することによって閲覧されてもよい。表示されたマップは、現場の「車両基準」監視ビューを示してもよく、以下の要素を表示してもよい。
機械
現場境界
道路
中間地点
目的地
採掘ブロック
【００９２】
マップ上に示した位置及びその他の情報は、変化が検出されると、動的に更新されてもよい。デフォルトで、マップは現在の採掘境界を示すようにズームしてもよい。
【００９３】
ユーザは、機械又はオペレータの名称を入力するため、図３４に示すような現場マップの「検索」領域を使用してもよい。検索文字列に部分的に合致するエンティティが、機械の名称と、その機械にログインしたオペレータのフルネーム（既知の場合）との双方を示す「検索」領域の下方において、ドロップダウンリスト内に示されてもよい。ユーザは、マップ内の所望の項目をハイライト表示させるために、リスト内でその項目を選択してもよい。対応する機械が可視領域内に無い場合、マップはその機械がビューに確実に収まるようにパンしてもよい。図３５は、ＲＦＴアプリケーション上に表示されたオペレータ情報を示す、一例としてのディスプレイを示している。
【００９４】
ユーザは、機械のＫＰＩを閲覧するため、マップ内の所望の機械を選択した後、パネルオプションメニューの「ＫＰＩ閲覧」を選択してもよい。アプリケーションはＫＰＩセクションを表示し、図２８に示すように、デフォルトで現在の機械について、移動を行ったトン数を示す「生産」ビューを開いてもよい。
【００９５】
図３３に示すとおり、ユーザは、機械についての走行進捗を閲覧するため、所望の機械を選択した後、パネルオプションメニューから「走行進捗閲覧」オプションを選択してもよい。アプリケーションは、走行進捗モニタセクションを開き、現在の機械をハイライト表示してもよい。
【００９６】
ＲＦＴアプリケーションのＫＰＩセクションは、生産及び性能についての異なる測定値を示している。多数の異なるＫＰＩが利用可能である一方、本開示の測定値は、野外にてシステムを介して現在利用可能な（且つ、ユーザインタフェース層でアクセス可能な）データを使用している監督者に最も関連のある基本的な統計値セットを提供するものである。表示されたＫＰＩは、アクセス可能なデータが増えるほど、且つ、監督者の必要に関する理解が深まるほど、より複雑化してもよい。
【００９７】
ユーザは、ＫＰＩメニューにおいて「生産」オプションを選択することにより、生産に関連のＫＰＩを選択してもよい。図３４の「生産」ビューは、現在のシフト内で移動された資材のトン数（又は適切な測定単位）に関連する情報を示している。これは、以下の内容を示している。
現在のシフトで移動された資材の実際の量。
現在の進捗とシフトの残り時間から見積もられる、現在のシフトにおいて移動される資材の推定トン数。
１時間で移動された資材の量を示す、現在のシフトの１時間毎の内訳。
現時間について、現在の生産と残り時間とから推定される、この時間の終了時に達成されると思われる数値目安。
【００９８】
表示されたデータは、機械及び資材の双方の種別によってフィルタが掛けられてもよい（例えば、全資材、石炭、及び廃石）。表示の単位は、選択された資材の種別に応じて変化してもよい。
【００９９】
利用可能な代替の生産ＫＰＩとして、シフト全体を通じて移動された資材の累積資材を示している。これは、生産ＫＰＩの種別を「移動資材」から「累積移動資材」に変更することによって表示されてもよい。一次再処理資材の量は、一時間毎を基準に示されてもよい。グラフ上のフィルタから所望のオプションを選択することにより、特定のローダー及び資材タイプについて累積合計を閲覧してもよい。
【０１００】
ユーザは、ＫＰＩメニューで「利用」オプションを選択することにより、荷積ツールの利用可能性及び利用に関するＫＰＩを選択してもよい。「利用」ビューでは、各荷積ツールの利用可能性及び利用を、現在のシフトにおけるパーセンテージとして示している。
【０１０１】
ユーザは、ＫＰＩメニューで「荷積」オプションを選択することにより、荷積ツール特有のＫＰＩを選択してもよい。各ローダーについて、荷積、吊り上げ、待機、及び配置時間を示しており、表示された最初の項目は、すべての荷積ツールの平均である。
【０１０２】
ユーザは、現場マップ上で機械の位置を閲覧するために、ＫＰＩグラフ上で機械の名称を選択した後、表示されたメニューから「機械位置閲覧」オプションを選択してもよい。
【０１０３】
ユーザは、「走行進捗モニタ」上において機械を閲覧するために、ＫＰＩグラフ上の機械の名称を選択し、表示されたメニューから「機械進捗閲覧」オプションを選択してもよい。ユーザは、「走行進捗モニタ」により、荷積ツールに対するトラックの相対的進捗を閲覧することができる。ユーザは、「走行進捗モニタ」を閲覧するため、アプリケーションメニューから「ＴＰＭ」オプションを選択してもよい。
【０１０４】
図３３及び図３４から分かるとおり、「走行進捗モニタ」は、出発地点（右側に図示）から目的地（左側に図示）に向かって走行する機械の進捗を示している。図３３は空のトラックを示しており、このため、図示の走行方向は往路と定義される。図３４は荷積されたトラックを示しており、図示の走行方向は復路と定義される。機械の進捗は、到着までの推定時間とともに、タイムラインにマーカーで明確に示されてもよい。推定超過時間は、どの程度時間が超過しているかを示すようインクリメントされてもよく、頭に「＋」と表示してもよい（例えば、「＋０２：１７」）。
【０１０５】
表示されたタイムラインには、２つの線状セクションが含まれてもよい。第１セクション４５０は、機械走行の最終１０分間を精細なレベルの粒度で示しており、第２セクション４５２は、機械の残りの走行時間を粗い粒度で示している。すなわち、走行の最終１０分間は、最も重要であり、最大の関心対象であると考えられるため、残りの走行時間に比してより詳細に示されている。この走行の最終１０分間は、ユーザが最初に閲覧する位置に確実に配置されるよう、画面の左手側に表示される。タイムラインの第１セクション及び第２セクションによって使用されるサイズは、タイムライン内の２つの領域の境界において、ハンドル４５４をドラッグすることによって調整されてもよい。
【０１０６】
タイムラインは、多数の出発地点からの機械を表示する場合、これらの出発地点からの推定走行時間によって、これらの出発地点の相対的位置を表示してもよい。このことは、これらの機械が類似の経路又は重複した経路を辿ることを意味するものでなく、単純にこれらの出発地点から走行している機械が存在することを意味するものであることに留意されたい。
【０１０７】
タイムライン上に多数の出発地点が表示された場合、各出発地点を個別に見せるべくタイムラインを拡大するため、アイコンが選択されてもよい。機械は、現在の状態に応じて、「走行進捗モニタ」の適切な領域内に現されてもよい。領域内に表示される機械の数は、領域に対するタイトルバー内に示されてもよい。以下は、各領域の説明である。
【０１０８】
空で走行するトラックは、割り当てられたローダーに向かって走行する、「空の」領域内に現れてもよい。到着までの推定時間を示す時間マーカーが設けられてもよい。トラックが中間地点を通過する際、これらの推定値が更新され、可能な限り正確な推定を行えるようにする。
【０１０９】
トラックがローダーに到着して停止すると、そのステータスは、到着済みであって待機中であることを示すように更新されてもよい。複数のトラックが、常にローダーを待機していてもよい。ローダーが一旦利用可能になると、トラックは「荷積」状態に進み、ディスプレイ上では、ローダーの左側に移動してもよく、ローダーの利用が表示されるようにする。
【０１１０】
まず最も重要なローダーを確実に見るように、ローダーは優先順位に応じて表示され、最大の荷積ツールが表示されたリストの一番上に表示されるようにする。各ローダーには、利用パーセンテージと、推定残り荷積時間とが表示される。機械は空で走行する間に遅延すると、「空の」領域から削除され、「走行進捗モニタ」の「遅延」領域に移されてもよい。
【０１１１】
「空の」領域内で荷積ツールが選択されると、以下の情報が概要ポップアップ内に表示されてもよい。
荷積中の資材。
現在の採掘ブロック。
目的地。
【０１１２】
荷積ツールが過剰積載されたか、適正に積載されたか、過少積載されたか、若しくは中間積載レベルであるか。
【０１１３】
空で走行中のトラックが選択された場合、概要ポップアップは、そのトラックがどこから来るのかに関する追加情報を表示してもよい。
【０１１４】
荷積されて走行中のトラックは、運搬している資材の種別を表示して、割り当てられたプロセッサに向かって走行し、「荷積」領域内に現れてもよい。これらのトラックには、到着までの推定時間を示す時間マーカーが設けられてもよい。
【０１１５】
トラックの到着
トラックは、一旦プロセッサに到着して停止すると、到着済で待機中であることを示すようにステータスが更新されてもよい。複数のトラックが随時、プロセッサに待機してもよい。プロセッサが一旦利用可能になると、トラックは、「排出」状態に進み、プロセッサの利用が表示されるように、ディスプレイ上をプロセッサの左側に移動されてもよい。複数のトラックが随時（プロセッサに応じて）、排出を行ってもよい。これは、プロセッサの傍らの左手側に、トラックを積み重ねたリストによって示されてもよい。
【０１１６】
まず最も重要なプロセッサを確実に見るように、プロセッサは優先順位に応じて表示され、最大のプロセッサが排出位置上方に表示されたリストの最上部に表示される。各プロセッサには、利用パーセンテージ（利用可能な場合）と推定残りサービス時間とが表示される。機械は荷積して走行する間に遅延すると、「荷積」領域から削除され、「走行進捗モニタ」の「遅延」領域に移されてもよい。
【０１１７】
「荷積」領域でプロセッサが選択されると、以下の情報が概要ポップアップに表示されてもよい。
目的地。
【０１１８】
荷積して走行中のトラックが選択された場合、以下の情報が概要ポップアップ内に表示されてもよい。
有料荷重サイズ。
採掘ブロック。
ステーション。
【０１１９】
ステーションへ向かって走行中のトラックは、空であるか最大限荷積してあるかを問わず、割り当てられたステーションに向かって走行し、「ステーション」領域に現れてもよい。これらのトラックには、到着までの推定時間を示す時間マーカーが設けられてもよい。トラックは、一旦ステーションに到着すると、ステーションの傍らの保留領域に表示されてもよい。
【０１２０】
「空の」領域及び「荷積」領域とは異なり、トラックは、ステーションに在る間に遅延すると、ステーションに対して表示されたまま維持されてもよく（遅延領域にも現れてもよい）、その遅延ステータスが推定遅延時間とともに明確に示されてもよい。
【０１２１】
遅延トラック
遅延している旨のフラグ付けがなされたトラックは、「遅延トラック」の領域に表示されてもよい。各トラックは、既知の最終位置を示すマーカーの傍らに配置されてもよい。例えば、トラックが遅延している際、ローダーの位置に在ることが最後に分かっていた場合、ローダーのマーカーの隣に現れるようにする。
【０１２２】
未知
未知のステータスのトラックは、「未知」の領域に表示されてもよい。各トラックは、既知の最終位置を示すマーカーの傍らに配置されてもよい。位置が全く分からない場合、その領域内の「未知」マーカーに対して配置されてもよい。
【０１２３】
状態。
トラックについて、以下の状態が表示される。
待機（緑）（つまり、トラックは最終道路セグメント上に停止している）
走行／排出／荷積（明るいモードでは黒、暗いモードでは白）
経路外れ（オレンジ）
喪失（ピンク）
割当不可（赤）
遅延中（灰色）
【０１２４】
荷積ツール及びプロセッサには以下の状態が表示される。つまり、サービス中（白）、遅延中（灰色）である。
【０１２５】
フィルタ
表示された機械リストは、画面最上部にある「フィルタ」オプションを使用して「車両」グループ及び「割当」グループの双方を使用してフィルタが掛けられてもよい。選択された車両又はグループの一部を形成する機械のみが、走行進捗モニタに表示されてもよい。
【０１２６】
発見
ユーザは、走行進捗モニタ内に機械を発見するため、画面最上部の「機械発見」欄に所望の機械の名称を入力してもよい。機械リストは、入力されたテキストと部分的に合致することに基づき、表示されてもよい。ユーザが表示されたリストから所望の機械を選択すると、機械はディスプレイ内においてハイライト表示されてもよく、機械が可視領域内に確実に収まるように、ディスプレイがスクロールされてもよい。機械が表示の潰れた（すなわち、視認できない）領域内に含まれる場合、その領域が拡大されて機械がハイライト表示されるまでの間、領域のタイトルバーがハイライト表示されてもよい。
【０１２７】
ユーザが、有効な機械であるのにも関わらず、現在表示されていない機械を検索する場合、検索結果が無い旨のメッセージとともに表示されてもよい。ユーザは、その機械を発見するため、掛けていたあらゆるフィルタを外す必要があってもよい。
【０１２８】
機械情報
機械が選択された際に表示された機械概要情報において限定的なＫＰＩが利用可能である場合、ユーザは、所望の機械を選択した後、画面最上部にある「オプション」メニューから「ＫＰＩ閲覧」オプションを選択することにより、特定の機械のＫＰＩを閲覧してもよい。ＫＰＩ画面は、その機械についてデフォルトで、「利用可能性」統計値及び「利用」統計値を見せるように表示されてもよい。ユーザは、現場マップ上で選択した機械を閲覧するために、画面最上部にあるメニューから「位置閲覧」オプションを選択してもよい。現場マップは、現在の機械がビュー内に収まってハイライト表示されるように表示されてもよい。
【０１２９】
健全性
追加タスク４１０として、健全性タスク４１０であってもよい。図３６に示すとおり、健全性タスク４１０にはさらに、新たなチャートの作成、健全性モニタの閲覧、新たな測定値群の作成、及び測定値群の管理が含まれてもよい。「健全性モニタ」のビューは、薄型クライアントのデスクトップ４００内に監視ビューを表示してもよい。このビューは、測定データのチャートで構成されたセットと健全性関連イベントの表とを、現場マップのイベントの空間的ビューとともに表示するように設定されてもよい。
【０１３０】
ユーザは、モニタビューに任意の数のチャートを追加してもよいが、チャートの最大数は設定されてもよい（利用可能性試験に基づいて、プロトタイプ／実装フェーズで判定された値）。ユーザは、表示されたチャートを編集及び削除してもよく、チャートをライブラリに保存してもよい。表示は、データのグラフィック／チャートベースの表現か、若しくは、健全性関連イベントの表形式リストのいずれかを示すべく、切り替えられてもよい。
【０１３１】
チャート／グラフ
チャートは、機械に対する測定値のリアルタイムの情報及び履歴情報を表示するよう構成されてもよい。１つ又は複数の装置が、健全性表示の一部として選択されてもよい。各チャートは、選択可能な対象であってもよい。ユーザは、現場マップ上のイベント情報及び位置情報に対応する空間的ビューを表示するためにチャートを選択してもよい。チャートをクリック及びドラッグすることにより、チャートを並べ替えることができる。
【０１３２】
図３７は、異なる項目又は測定値がｙ軸上になるように選択された様子を表示している。時間尺度がグラフィック表現のｘ軸に沿って使用された場合、機械について複数の測定値が比較され、ｙ軸に対してプロットされてもよい。これらの測定値が比較可能な単位の種別でない場合、最大の測定基準でｙ軸に必要な尺度を決定してもよい。特定の状態を表すために数値が使用されている場合、ユーザは、尺度の値の上を行き来することによって状態のテキスト表現を閲覧してもよい（状態を表すのに使用されているすべての値が、この情報がアクセス可能であることを保証するように、軸の尺度上に表示されてもよい）。測定値がｘ軸に沿って表される場合、機械について他の測定値が１つのみ、ｙ軸に対してプロットされてもよい。この場合、ユーザは、現在プロットされた点に加えてグラフ上の履歴点を表示する痕跡を使用することで、時間に対するプロットを監視してもよい。
【０１３３】
図３８に示すとおり、チャートは、左手側のキーにおいて監視されている機械及び測定値のリストを表示してもよい。グラフィックビューにおいて、キーの各項目は、チャート内の線に対応する色を示している。これらの測定値は各々、キーのチェックボックスのチェックマークを付けたり外したりすることにより、一時的にチャート内に含ませたり、チャートから除外したりしてもよい。デフォルトで、構成された測定値をすべてチャート上に表示してもよい。ある機械に関連のすべての測定値を隠すには、ユーザは、その機械の測定値リストを折り畳んでもよい。チャート上の情報は、すべてのイベント、一部のイベント、特定のイベント等を含む、図３９に示すようなオプションリストから選択されてもよい。
【０１３４】
特定の期間内の測定値について利用可能なデータが存在しない場合、その測定値について描かれている線は存在しなくてもよい。測定値がポーリングされ、且つ、接続がなくなった場合、接続が回復するまでの間、線を既知の最終値のレベルにおいて破線又は点線として表示してもよい。データが利用可能になると、チャート内に再投入されてもよい。
【０１３５】
図３８を参照すると、可視の測定値について特定の健全性関連イベントが、測定値チャートの直下のタイムラインチャート８７０上にプロットされていてもよい。開始イベント、中間イベント、及び終了イベントは、イベントの名称を左手側に表示させ、チャート上に適切に表示されてもよい。ユーザは、これらの地点上を行き来することにより、イベントの簡単な概要を取得してもよい。このイベントをクリックすることにより、現場マップ内のイベントをハイライト表示させてもよい。関連イベントは、対応する測定値チャートのｘ軸に関わらず、時間尺度に対して常に表示されてもよい。
【０１３６】
チャート内に表示されるデータは、「健全性モニタ」ビューの最下部にあるタイムライン８７０を使用して制御されてもよい。選択された開始日及び終了日の範囲内に発生した測定値データ及びイベントのみが表示されてもよい。ユーザは、測定値を同一のチャート内において複数のグラフィクビューに分離してもよい。
【０１３７】
以下の表１は、チャートに対するユーザの相互作用の概要と、結果として発生する動作の説明を提供するものである。
【０１３８】
【表１】
2015535992.tif 000003
【０１３９】
表形式ビュー
図４０に示すとおり、ユーザは、健全性関連イベントの表形式ビューに切り替えてもよい。表示されたイベントは、表示されたチャートの全構成イベントの組み合わせであってもよい。イベントの深刻度が、「アクティブ」列のアイコンの色で表示されてもよい。テキストの色は、イベントが対応する解除イベントを受けたか否かを示してもよい。ユーザは、表示された列を構成してもよく、若しくは、表内の行を選択することにより、現場マップ内の対応するイベントをハイライト表示してもよい。
【０１４０】
新たなチャートが追加されると、そのチャートのイベントが表形式ビューに追加されてもよい。ユーザは、図４０に示すとおり、表上方の対応するチェックボックスを選択するか、若しくは、選択を解除することにより、機械に関連のイベントを含ませるか、若しくは、除外してもよい。ユーザは、イベントビューにフィルタを掛けることによって現在アクティブのイベントのみを見るようにしてもよい（すなわち、対応する解除イベントを未だ受けていないイベントのみを見る）。また、イベントの概要をみるようにビューを切り替えてもよく、イベント種別及び機械の組み合わせに応じてすべてのイベントが単一ラインの項目にロールアップされるようにする。このビューはさらに、解除イベントの発生以降のアクティブイベントの発生数を示してもよい。
【０１４１】
現場マップ概要
図４０の非表形式部分に示すとおり、現場マップは、表示されたチャートを構成するすべての健全性関連イベントの空間的ビュー８９０を提供してもよい。現場マップは、チャート内のすべての機械の現在位置を表示してもよく、既知である場合には以前の位置を（１時間以内の非生成的痕跡として）表示してもよい。経路をすべて取得しないため、これによって機械の大まかな経路を提供するのみとなることが多いが、イベントの発生した位置は明確に示してもよい。機械経路及びイベントは、現在選択されたタイムフレームについてのみ示されてもよい。現場マップ上に健全性関連イベントを示すために使用されるアイコンは、イベントの深刻度を示してもよい。
【０１４２】
タイムライン概要
図３８及び図４０の最下部にあるタイムライン８７０を使用して、グラフィックビュー及び表形式ビューがデータを表す期間を示し、規定してもよい。チャートのｘ軸が時間を表示している場合、チャートの時間尺度は、タイムラインバー内の選択された領域を表示してもよい。マウス位置を表示する垂直線はチャートを通って移動し、ラインはさらにタイムラインバー８７０全体にも表示されてよく、利用可能なデータセットすべてに対する現在位置を示してもよい。ユーザは、リアルタイムデータの再生の一時停止、リアルタイムデータの再生再開、タイムフレームの選択、再生速度の選択を含む動作をタイムライン８７０上で実施してもよい。タイムライン８７０は、カレンダー時間又は「サービス測定基準単位（ＳＭＵ）」のいずれかを示すよう構成されてもよい。すべてのチャートが同一の時間尺度を使用するよう配列されてもよい。
【０１４３】
タイムライン８７０はさらに、チャンネルポーリング情報の概要を表示してもよい。システム全体を通じて同時にポーリングされてもよいチャンネルの最大数があってもよい。インジケータは、利用可能なチャンネルの数に対するシステム全体を通じてポーリングされているチャンネルの数とともに、現在の「健全性モニタ」ビュー上でポーリングされているチャンネルの数を示している。
【０１４４】
タイムライン８７０の陰影領域は、構成された測定値のデータの利用可能性を示している。これにより、ユーザが、タイムライン全体をスキャンすることなくデータが利用可能であるか否かをより容易に判定できるようにしてもよい。
【０１４５】
健全性モニタビューの表示
ユーザは、現場マップビュー内で機械を選択し（注意：これは有効な機械情報サイドパネルを有するビューであってもよい）、機械情報パネル内の「健全性閲覧」オプション／ボタンを選択し、システムデスクトップ４００（例えば、燃料モニタ又はエンジンモニタ）の事前構成リストから所望の種別のチャートを選択することによって、特定の機械の健全性を閲覧してもよい。これにより、特定の機械の健全性を示す事前構成チャートセットをデスクトップ４００に表示してもよい。これはシステムデスクトップであってもよいため、デスクトップ４００の構成は、ユーザが個人的な使用のためにデスクトップ４００を複製することがなければ保存されなくてもよい。ユーザは、保存したデスクトップを再度開くために、「デスクトップ管理」画面からデスクトップ４００を選択して開いてもよく、若しくは、デスクトップ４００のオプションボタンのメニューから（このメニューの一部として構成される場合）デスクトップ４００を選択して開いてもよい。
【０１４６】
新たなチャートの追加
ユーザは、「健全性モニタ」ビューへの新たなチャートの追加を開始するために、ビューの最上部右側にある「パネルオプション」メニューから「新規チャート」オプションを選択してもよい。これにより、チャートの各軸に表示させるための測定を行う所望の機械をユーザに選択させる「新規チャート」ワークフローと、選択された機械及び／又は測定値の監視を行うイベントとを表示してもよい。「測定値詳細」領域は、現在選択されている測定値又はグループの既知の特性をすべて表示してもよい。「関連項目」領域は、既知の関連トレンド、チャンネル、イベント、ヒストグラム、及び測定値の累積をすべて表示してもよい。
【０１４７】
図３７に示すとおり、ユーザは、ｙ軸の構成を選択してもよい。
【０１４８】
ｘ軸が時間である場合、ｙ軸により複数の測定値（又は測定値グループ）を選択させてもよい。
【０１４９】
ｘ軸が測定値である場合、ｙ軸には１つの測定値のみが選択されてもよい。
【０１５０】
ユーザは、ｙ軸の構成を一旦選択すると、継続するために「次へ」ボタンを選択してもよい。
【０１５１】
図３９において、ユーザは、選択した機械について監視したいイベントを構成してもよい。ユーザは、以下のオプションのうちの１つを選択してもよい。
【０１５２】
全イベント−これにより、選択された機械の健全性関連イベントをすべて表示してもよい。
【０１５３】
レベル２及び３の全イベント−これにより、選択された機械のレベル２及び３の健全性関連イベント（のみ）を表示してもよい。注意：このオプションがデフォルトで選択されてもよい。
【０１５４】
選択された規定値のみに関するレベル２及び３の全イベント−これにより、選択された機械の選択された測定値のみについて発生したレベル２及びレベル３の健全性関連イベントを表示してもよい。
【０１５５】
特定イベント−選択された機械について監視したい特定のイベントセットをユーザに選択させる。表示されたリストには、選択された測定値に関連のイベントが予め投入されてもよい。
【０１５６】
表示されたチャートの種別は、例えば、線グラフ、棒グラフ、点グラフ等、利用可能なデータの種別に最も適したチャートであってもよい。図３８に示すとおり、各測定値を特定するために使用される色は、対照色（利用可能な内蔵ツールを使用して自動的に規定するか、若しくは、所定の色構成によって規定する）にさらなる拡がりを持たせるため、ユーザインタフェースによって選択されてもよい。色はユーザによって選択又は変更することができないが、ユーザはチャートのキー内の測定値を選択して、そのチャート内の対応するラインをハイライト表示してもよい。
【０１５７】
「健全性モニタ」ビューが図４０のようにイベントの表形式ビューを表示している場合、ユーザは、イベントに対応するチャンネルについて新たなチャートを作成してもよい。
【０１５８】
既存チャートの編集
ユーザは、「健全性モニタ」ビューに表示されたチャートを編集するために、修正中のチャートの「オプション」メニューにおいて「チャート編集」オプションを選択してもよい。オプションメニューは、チャートの最上部右側角部に表示されてもよい。ユーザは、選択した機械及び測定値を含むチャートを所望の通り変更し、変更を記憶するために「保存」ボタンを選択してもよい。「健全性モニタ」ビューに表示されたチャートは、適切に更新されてもよい。
【０１５９】
特定の点における値の表示
ユーザは、特定の点における測定値を表示するために、チャート領域を通ってマウスを移動させてもよい。垂直線は、ｘ軸上の点と交差するよう描かれてもよく、その点における値は、ｘ軸の下方に記されてもよい。表示された測定値が垂直線と交差する点は、その測定値に対するｙ軸の値を示している。表示された測定値の各々の交差点の値は、テキストと同一のキーカラーを使用して、チャートの最上部に亘って一覧表示されてもよい。
【０１６０】
時間がｘ軸上に表示されている場合、マウスの位置に対応する時刻における機械の位置が、現場マップ内に表示されてもよい。マウスがチャートの外側に移動した後は、チャートの右端に値を表示する状態に戻ってもよい。
【０１６１】
タイムフレームの変更
ユーザは、チャート内に表示されたタイムフレームを変更するために、図３８及び図４０のタイムラインのように、「健全性モニタ」ビューの最下部にあるタイムライン制御上で開始標識及び終了標識を移動させてもよい。チャートが最初に追加されると、タイムライン制御が開始されて、終了時刻を、構成されたチャートに対してデータが利用可能であった既知の最終時点と組み合わせ、最長１日の継続時間が示される。
【０１６２】
チャートは、ユーザが持続時間を変更しない限り、若しくは、ディスプレイウィンドウの開始点及び終了点を変更しない限り、新たなデータを受信した際、同一の持続時間で継続的に表示してもよい。タイムライン８７０上で開始標識及び終了標識を移動させることによって、各チャート（グラフィックビュー及び表形式ビューの双方）において表示されたデータが、新たに選択された開始時刻及び終了時刻の範囲のデータのみを含むように修正される。終了時刻がタイムライン８７０の右端の地点に収まらない場合、グラフにはリアルタイムデータが表示されず、タイムラインは自動的に一時停止されてもよい。ユーザは、終了時刻をタイムライン８７０の右端の地点に移動することにより、リアルタイムデータを閲覧してもよい。
【０１６３】
グラフィックビューから表形式ビューへの切替
ユーザは、「健全性モニタ」ビューの「パネルオプション」メニューにおいて「表形式ビュー」を選択することにより、図３８のようなデータのグラフィックビューから図４０のような表形式ビューに切り替えてもよい。グラフィックビューは隠され、健全性関連イベントが、構成された測定値に基づく機械リストとタイムライン制御とともに表内に表示されてもよい。
【０１６４】
表は、イベントが開始イベントであるか、中間イベントであるか、終了イベントであるか（すなわち、関連の解除イベントが適用可能な場合に、それを受信したか否か）とともに、そのイベントの深刻度を示すため、「アクティブ」列にアイコンを使用してもよい。イベントが対応する解除イベントを受信していた場合、代替色を使用してテキストが表示されてもよい。表示された列は、各チャートについて構成可能であってもよい。ユーザは、「健全性モニタ」ビューの「パネルオプション」メニューで「グラフビュー」オプションを選択することにより、チャートをグラフィックビューに戻してもよい。
【０１６５】
健全性測定値は、関連項目をより簡単に見つけることができるように、グループ化されてもよい。図４１は、システムのお気に入り測定値のリストを含む（「お気に入りは」システム全体で共有されるが、ユーザ特定のセットでなくてもよい）、グループの追加、編集、及び削除を行うために使用される「グループ管理」画面である。図４１は、利用可能な「オイル温度」測定のみから選択された、一例としてのデータを示している。
【０１６６】
ビューグループ
ユーザは、システムにおいてグループ化された測定値のリストを閲覧するべく「グループ管理」ワークフロー画面の表示を開始するために、以下のいずれかを選択してもよい。
「タスク」→「機械」→「測定値グループ閲覧」オプション、又は
「パネルオプション」→「健全性モニタ」上の「測定値グループ閲覧」オプション
【０１６７】
「健全性測定値グループ」画面は、特別な「お気に入り」グループを含む、システム内に構成されるすべてのグループのリストを表示してもよい。リスト内のグループを選択することにより、測定値の表においてそのグループに含まれる測定値を表示してもよい。メニューを選択し、選択した項目を編集セッションの最後に保存することにより、グループを追加及び編集してもよい。
【０１６８】
健全性の制限
ユーザは、これらの制限を管理するため、「健全性制限」ワークフローを使用してもよい。顧客の設定した制限が、予め設定されたいずれの制限より優先される。各制限は、システム、機械カテゴリー、機械クラス、又は機械レベルのいずれかに適用されてもよく、各測定値には、最大１つの対象、最大２つの下限、最大２つの上限が同時に適用可能である。
【０１６９】
産業上の利用可能性
本開示のシステムは、種々の環境で作動してもよいが、採掘環境で有用であってもよい。本システムは、トラックの位置、掘削機の掘削位置等、及びどのような事象及び危険が存在するかを判定するなど、位置に関する事実上すべての側面を制御してもよい。また、同位置における装置の健全性も監視してもよく、装置に問題がある場合、担当者に通知してもよい。
【０１７０】
以前には、個別のシステムが種々のタスク４１０を実施した。システムは、システム同士で通信することに長けておらず、よくてもシステム間の一貫性が取れていなかった。また特に低帯域幅の条件下において、遠隔での可視化は困難であった。本開示のシステムにより、機械が低帯域幅の位置にあっても、リアルタイムでの可視化を可能にしてもよい。
【図１】
2015535992.tif 000004
【図２】
2015535992.tif 000005
【図３】
2015535992.tif 000006
【図４】
2015535992.tif 000007
【図５】
2015535992.tif 000008
【図６】
2015535992.tif 000009
【図７】
2015535992.tif 000010
【図８】
2015535992.tif 000011
【図９】
2015535992.tif 000012
【図１０】
2015535992.tif 000013
【図１１】
2015535992.tif 000014
【図１２】
2015535992.tif 000015
【図１３】
2015535992.tif 000016
【図１４】
2015535992.tif 000017
【図１５】
2015535992.tif 000018
【図１６】
2015535992.tif 000019
【図１７】
2015535992.tif 000020
【図１８】
2015535992.tif 000021
【図１９】
2015535992.tif 000022
【図２０】
2015535992.tif 000023
【図２１】
2015535992.tif 000024
【図２２】
2015535992.tif 000025
【図２３】
2015535992.tif 000026
【図２４】
2015535992.tif 000027
【図２５】
2015535992.tif 000028
【図２６】
2015535992.tif 000029
【図２７】
2015535992.tif 000030
【図２８】
2015535992.tif 000031
【図２９】
2015535992.tif 000032
【図３０】
2015535992.tif 000033
【図３１】
2015535992.tif 000034
【図３２】
2015535992.tif 000035
【図３３】
2015535992.tif 000036
【図３４】
2015535992.tif 000037
【図３５】
2015535992.tif 000038
【図３６】
2015535992.tif 000039
【図３７】
2015535992.tif 000040
【図３８】
2015535992.tif 000041
【図３９】
2015535992.tif 000042
【図４０】
2015535992.tif 000043
【図４１】
2015535992.tif 000044
【国際調査報告】
2015535992.tif 000045
2015535992.tif 000046
2015535992.tif 000047